(57)【要約】【課題】  取り付け時に煩わしさのない小型化された２重構造の遊技球タンクを有する遊技機を提供する。【解決手段】  上面が開放され底面１６に遊技球通過穴１３の設けられた略直方体形状の側筐体１０が、上面が開放された略直方体形状の外側筐体２０の内部に嵌め込まれている。内側筐体１０の左壁１８に設けられた内側支え部１４が、外側筐体２０の左壁２８に設けられた外側支え部２４の内部に嵌め込まれ、それぞれの底面に嵌合穴１１及び嵌合穴２１がそれぞれ設けられている。また、内側筐体１０の底面１７及び外側筐体２０の底面２７ｂには、嵌合穴２１及び嵌合穴２２がそれぞれ設けられている。そして、ピン５１が嵌合穴２１と嵌合穴１１とに差し込まれて嵌合し、ピン５２が嵌合穴２２と嵌合穴１２とに差し込まれて嵌合することにより、内側筐体１０と外側筐体２０とが固定される。【選択図】  図７
2005230343.tif 000002
【特許請求の範囲】
【請求項１】
遊技球を貯留する遊技球タンクと、当該遊技球タンクから遊技球が供給され、所定条件が成立した場合に遊技球を計数して払い出す賞品球払出装置とを備えた遊技機であって、
前記遊技球タンクは、
遊技球を貯留する内側筐体と、
当該内側筐体が嵌め込まれる外側筐体とを備え、
前記内側筐体は当該内側筐体に貯留されている遊技球を前記外側筐体へ落とす開口部を備え、前記内側筐体を前記外側筐体に着脱可能に固定する固定部材を備えていることを特徴とする遊技機。
【請求項２】
前記遊技機には、係止穴を設けた留め部材が立設されており、
前記遊技球タンクは、
遊技球タンク取付者が操作するためのツマミと、前記係止穴に係止する突出部材とを備えた設置部材と、
前記設置部材を内部に摺動可能に保持する設置部材カバーと、
当該設置部材カバー内に備えられ、前記設置部材カバーに対して前記設置部材を付勢する弾性部材とを備え、
前記弾性部材の付勢力に逆らう方向へ前記設置部材のツマミを押圧することにより、前記突出部材の前記係止穴への係止が解除されることを特徴とする請求項１に記載の遊技機。
【発明の詳細な説明】
【技術分野】
【０００１】
本発明は遊技機に関し、詳細には遊技球を貯留する遊技球タンクを備えた遊技機に関する。
【背景技術】
【０００２】
従来、賞品球を貯留する遊技球タンクを小型化するために、遊技球タンクを２重構造としたパチンコ機が提案されている（例えば、特許文献１）。この特許文献１のパチンコ機の遊技球タンクは、内装部材と外装部材との２重構造となっている。内装部材及び外装部材は略直方体形状をしてその上面が開放されており、外装部材の中に内装部材が嵌め込まれている。そして、内装部材の底面の一部に開口部が設けられており、内装部材に供給された遊技球は、その開口部から外装部材に落下する。そして、外装部材の一側面には払出装置に遊技球を供給する通路が延設されており、外装部材に落下した遊技球は通路を経由して払出装置に供給される。従って、パチンコ機に供給された遊技球は内装部材、外装部材、通路に貯留されて、順次払出装置に供給される。このようにして、特許文献１の遊技球タンクは遊技球を貯留する機能と払出装置へ誘導する機能を持つので、遊技球を貯留する部材と誘導する部材とを別々に設けるよりも、遊技球タンクの高さを低くすることができる。また、外装部材の底面は払出装置への通路側へ下って傾斜しており、遊技球が流動しやすくなっている。よって、遊技球タンクに崩球機構を設ける必要がないので、さらに遊技球タンクの高さの制約がなくなっている。
【０００３】
したがって、特許文献１のようなに高さを低くすることが可能な遊技球タンクでは、遊技球タンクの底面をより上に配置することができるため、遊技盤に設けられている入賞装置を制御するための基板や装置を設置するスペースを広く取ることができ、これらの基板や装置によるパチンコ機の演出の可能性を広げることができる。
【特許文献１】特開平９−２６６９８０号公報
【発明の開示】
【発明が解決しようとする課題】
【０００４】
しかしながら、特許文献１のようなパチンコ機の遊技球タンクでは、遊技球タンクの内装部材と外装部材とが固定されていない。ここで、パチンコ機１への遊技球タンクの組み付け作業について考える。遊技球タンクは、製造部署又は製造会社から内装部材と外装部材とが重ねられた形で箱詰めされて組み付け部署に納入される。そこで、組み付け担当者は箱から遊技球タンクを取り出すが、ここで、内装部材と外装部材とが固定されていないため、上側にある内装部材の部材のみを取り出してしまい、外装部材は箱の中に取り残されてしまうという問題がある。これは、多数のパチンコ機の組み付けを行う担当者にとっては、大変煩わしいことである。
【０００５】
また、特許文献１のようなパチンコ機の遊技球タンクは、パチンコ機の背面に取り付けられている機構板の所定の位置に設けられた係止孔に止着部材を挿し込み、係止させることにより遊技機に取り付けられていたが、この止着部材は指先で摘む程度の大きさの部材であり小さく、取り扱いには落とさないように注意が必要である。また、組み付け時においてだけでなく、遊技場内でのメンテナンス時においても、取り扱いには注意が必要であり、落としてなくしてしまった場合には、替え部材を入手しなければならないという問題点があった。
【０００６】
本発明は、上述の問題点を解決するためになされたものであり、取り付け時に煩わしさのない小型化された２重構造の遊技球タンクを有する遊技機を提供しようとするものである。
【課題を解決するための手段】
【０００７】
上記課題を解決するため、請求項１に係る発明の遊技機は、遊技球を貯留する遊技球タンクと、当該遊技球タンクから遊技球が供給され、所定条件が成立した場合に遊技球を計数して払い出す賞品球払出装置とを備えた遊技機であって、前記遊技球タンクは、遊技球を貯留する内側筐体と、当該内側筐体が嵌め込まれる外側筐体とを備え、前記内側筐体は当該内側筐体に貯留されている遊技球を前記外側筐体へ落とす開口部を備え、前記内側筐体を前記外側筐体に着脱可能に固定する固定部材を備えている。
【０００８】
また、請求項２に係る発明の遊技機では、請求項１に記載の発明の構成に加えて、前記遊技機には、係止穴を設けた留め部材が立設されており、前記遊技球タンクは、遊技球タンク取付者が操作するためのツマミと、前記係止穴に係止する突出部材とを備えた設置部材と、前記設置部材を内部に摺動可能に保持する設置部材カバーと、当該設置部材カバー内に備えられ、前記設置部材カバーに対して前記設置部材を付勢する弾性部材とを備え、前記弾性部材の付勢力に逆らう方向へ前記設置部材のツマミを押圧することにより、前記突出部材の前記係止穴への係止が解除されることを特徴とする構成となっている。
【発明の効果】
【０００９】
請求項１に係る発明の遊技機では、遊技球タンクの内側筐体は遊技球を貯留すると、外側筐体は内側筐体を嵌め込むことができる。また、内側筐体の開口部は内側筐体に貯留されている遊技球を外側筐体へ落とし、固定部材は内側筐体を外側筐体に着脱可能に固定することができる。したがって、内側筐体と外側筐体が固定されているので、パチンコ機の組み付けを行う担当者が箱詰めされた遊技球タンクを箱から取り出す際に、内側筐体と外側筐体とを一緒に取り出すことができるので、組み付け作業を潤滑に行うことができる。
【００１０】
また、請求項２に係る発明の遊技機では、請求項１に記載の発明の効果に加えて、遊技機に立設された留め部材には係止穴が設けられており、遊技球タンクの設置部材に備えられたツマミは、遊技球タンク取付者が操作することができ、突出部材は係止穴に係止することができる。また、設置部材カバーは、設置部材を内部に摺動可能に保持し、バネは設置部材カバー内に備えられ、設置部材カバーに対して設置部材を付勢することができる。そして、バネの付勢力に逆らう方向へ設置部材のツマミを押圧することにより、突出部材の係止穴への係止を解除することができる。したがって、設置部材が遊技球タンクに設けられているので、遊技球タンクの組み付け時に落としてしまうこともなく、落とさないように注意する必要がないので、組み付け作業の担当者の負担が軽減される。また、組み付け時だけでなく、遊技場に設置された後に遊技球タンクを取り外す必要が生じたり、メンテナンスを行ったりする際に、設置部材を落としたり、落として紛失したりする心配がなくなるため、紛失により替え部材を調達しなければならないというような状況が発生しなくなる。
【発明を実施するための最良の形態】
【００１１】
以下、本発明の実施の形態を図面を参照して説明する。まず、図１及び図２を参照して、パチンコ機１の構造について説明する。図１はパチンコ機１の背面図であり、図２は中枠４をパチンコ機１の背面側から見た斜視図である。パチンコ機１の背面には、パチンコ機１の制御を行うための種々の基板や装置が設置されている。パチンコ機１は、木材で細長い板で形成された略長方形の外枠２に、大小複数の開口部を設け薄い金属板で形成された中枠４が、上ヒンジ４８及び下ヒンジ４９により外枠２に軸支されて回動可能に設置されている。この中枠４の開口部には、遊技盤（図示外）、パチンコ機１を制御する種々の装置や基板が取り付けられる。
【００１２】
図１に示すように、パチンコ機１の背面中央にはセンターカバー８６が設置されており、この内部に設置されている図柄表示基板（図示外）、電飾基板（図示外）、サブ統合基板（図示外）等を保護している。また、センターカバー８６の下部左側には、主基板ボックス８５が設置されている。この主基板ボックス８５の中には、パチンコ機１の主制御を司る主基板（図示外）が設置されており、主基板ボックス８５のさらに奥には電源基板（図示外）を収納した電源基板ボックス（図示外）が設置されている。そして、主基板ボックス８５の右には、遊技球の払出を司る払出制御基板（図示外）を収納した払出制御基板ボックス８４が設置されている。そして、払出制御基板ボックス８４の上、センターカバー８６の上部には、遊技球の払い出しを行う払出装置８３が設置されている。この払出装置８３は、払出制御基板に接続しており、払出制御基板の指示に従って遊技球の払い出しが行われる。
【００１３】
そして、センターカバー８６の上部には、本発明の要部である遊技球タンク５が設置されている。この遊技球タンク５の上部は開放されており、遊技機設置島から供給される遊技球がこの中に落下する。この遊技球タンク５は右側に通路２３が延設されており、遊技球タンク５に供給された遊技球を誘導する。そして、通路２３の端には、払出装置８３へと遊技球を誘導する遊技球誘導樋８７が接続している。よって、遊技機設置島から供給される遊技球は、遊技球タンク５に貯留され、通路２３、遊技球誘導樋８７を通過して、払出装置８３へ流入する。
【００１４】
次に、図３乃至図７を参照して、遊技球タンク５の構造について説明する。図３は遊技球タンク５の斜視図であり、図４は遊技球タンク５の内側筐体１０と外側筐体２０とを分解した際の上方からの分解斜視図であり、図５は内側筐体１０の下側から見た底面図であり、図６は外側筐体２０の下側から見た底面図であり、図７は遊技球タンク５の内側筐体１０と外側筐体２０とを分解した際の下方からの分解斜視図である。尚、図３乃至図７における左側が、パチンコ機１の背面視左側である。図３、図４、図７に示すように、遊技球タンク５は、略直方体の内側筐体１０が略直方体の外側筐体２０に嵌め込まれている。
【００１５】
まず、図４、図５及び図７を参照して、内側筐体１０について説明する。図４に示すように、内側筐体１０は略直方体形状をしており、その上面は開放されている。そして、底面１７の図３におけ左奥側には、長手方向の約３割、短手方向の約半分の大きさの台形の遊技球通過穴１３が設けられており、この遊技球通過穴１３から遊技球が外側筐体２０へ落下するようになっている。また、内側筐体１０の右面の外側奥には取付部材３０が設けられている（図８参照）。この取付部材３０の構造については、図９乃至図１２を参照して、後に詳述するが、取付部材３０は内部に操作部材３３を摺動可能に保持しており、ツマミ３３１に下方の力を加えると突出部３３２も下方に移動し、ツマミ３３１に力を加えるのをやめると、取付部材３０の内部に設置されているバネ３９の付勢により突出部３３２は上方に戻るようになっている。また、内側筐体１０の左面１８の外側には、略直方体の内側支え部１４が立設されている。この内側支え部１４については、外側筐体２０の説明において詳述する。
【００１６】
また、図５及び図７に示すように、内側筐体１０の底面１７の右手前（図５及び図７における右上）には、ピン５２と嵌合するための嵌合穴１２が設けられている。この嵌合穴１２は、図７に示すように内側筐体１０の底面１７から円筒の部材が立設されており、その円筒の内部にピン５２が嵌合される。
【００１７】
次に、図４、図６及び図７を参照して、外側筐体２０について説明する。図４に示すように、外側筐体２０も略直方体形状をしており、その上面は開放されている。そして、右面２９の奥側（図６，７における下側）約半分が開放され、遊技球７０を遊技球誘導樋８７へ誘導する通路２３が設けられている。外側筐体２０の内部は、遊技球が通過する遊技球通過経路部及び玉切れスイッチ（図示外）等が設置されるスイッチ設置部に分かれている。遊技球通過経路部は外側筐体２０の奥側半分から通路２３であり、スイッチ設置部は外側筐体２０の手前半分であり、図７に示すようにその底面２７ｂは通過経路部の底面２７ａよりも高くなっている。また、通路２３は遊技球通過経路部から延設されている。そして、図４に示すように、遊技球通過経路部には遊技球７０を整列させ、通路２３へ遊技球７０を導くための整理壁６１が底面２７ａから上方へ立設されており、遊技球７０が通路２３へ順次送り出されるようになっている。尚、底面２７の手前側（図７における上側）は通路２３には２つの遊技球通過経路が設けられており、各々の通過経路を通過した遊技球７０は、通路２３の端の下側に設けられた開口部である玉出口２６ａ，２６ｂから放出される。
【００１８】
また、スイッチ設置部の底面２７ｂの下側には遊技球タンク５に遊技球が貯留されているか否かを検知する玉切れスイッチや基板が設置される。そして、底面２７ｂの右手前側（図６，７における右上側）には、ピン５２と嵌合する嵌合穴２２が設けられている。この嵌合穴２２は、内側筐体１０を外側筐体２０に嵌め込んだ際に、内側筐体１０の底面１７に設けられている嵌合穴１２と重なる位置に設けられており、ピン５２が嵌合穴２２と嵌合穴１２とに差し込まれ、嵌合することにより、内側筐体１０と外側筐体２０とが固定される。
【００１９】
また、外側筐体２０の左面２８の奥側には略直方体形状の外側支え部２４が立設されている。この外側支え部２４は、上面が開放されており、内側筐体１０の内側支え部１４よりも一回り大きく、内側筐体１０が外側筐体２０に嵌め込まれた際に、内側筐体１０の内側支え部１４が外側筐体２０の外側支え部２４の内部に嵌め込まれ、内側筐体１０が支えられる様になっている。また、内側筐体１０の内側支え部１４の底面及び外側筐体２０の外側支え部２４の底面には、嵌合穴１１及び嵌合穴２１が重なる位置に設けられている。そして、ピン５１が嵌合穴２１と嵌合穴１１とに差し込まれ、嵌合することにより、内側筐体１０と外側筐体２０とが固定される。
【００２０】
次に、図２乃至図７を参照して、遊技球タンク５の取り付け方法について説明する。図２に示すように中枠４の上部には遊技球タンク５を取り付けるための支え部材受４１及び留め部材４３が設置されている。支え部材受４１は、中枠４の左上に設けられており、略直方体形状でその右面が開放されている。この支え部材受４１の内部には、内側筐体１０と外側筐体２０とが固定された遊技球タンク５の重ね合わされた内側支え部１４及び外側支え部２４が、開放された右面から挿入され、内側支え部１４及び外側支え部２４を底面で支えて、遊技球タンク５を支える働きをする。
【００２１】
また、留め部材４３は、中枠４の上部中央のやや左寄り設けられている。この留め部材４３はＬ字形状の鉄板であり、長い辺が中枠４に固定され、短い辺が中枠４から垂直に立ち上がっている。そして、短い辺の先端側には係止穴４４が設けられており、この係止穴４４には、突出部３３２（図８参照）が係止されるようになっている。
【００２２】
ここで、図８乃至図１２を参照して、取付部材３０について説明する。図８は取付部材３０の拡大図であり、図９は取付部材３０の分解斜視図であり、図１０は操作部材３３を取付部材３０の背面（パチンコ機１の正面）側上部から見た斜視図であり、図１１は取付部材３０の背面図（パチンコ機１の正面側から見た図）であり、図１２は図１１のＡ−Ａ線における取付部材３０の断面図である。
【００２３】
図９に示すように、取付部材３０は遊技球タンク５の内側筐体１０の右面１９に延設されている保持部３１と、取り付け者が操作する操作部材３３と、操作部材３３を付勢するバネ３９と、保持部３１と共に操作部材３３を保持する蓋部材３２とから構成されている。
【００２４】
まず保持部３１について説明する。保持部３１は、遊技球タンク５の内側筐体１０と一体形成されているが、図８では、説明のために内側筐体１０の右面１９から立設されている部分のみを表示している。この保持部３１は、略台形柱形状の固定部３１１が内側筐体１０の右面１９との接続部分であり、台形の向かい合った平行な辺の長い方の辺で形成される面が遊技球タンク５側となっている。そして、図９に示すように、台形の向かい合った平行な辺の短い方の辺で形成される面である左面壁３１９の下部に支持壁３１４が立設され、奥側に背面壁３１２が立設されている。そして、左面壁３１９の向かい合う位置に右面壁３１３が、支持壁３１４及び背面壁３１２に立設されている。そして、この左面壁３１９、右面壁３１３、支持壁３１４、背面壁３１２により囲まれる略立方体形状の空間が操作部材空間３１８として形成されている。また、左面壁３１９及び右面壁３１３の手前側上部には、鉤形状の左係止部３１６及び右係止部３１５がそれぞれ設けられている。
【００２５】
次に、図９を参照して蓋部材３２について説明する。蓋部材３２には、略長方形の板状の蓋部３２１に対して、やや上部寄り中央に略長方形の開口部であるツマミ用開口部３２６が設られている。そして、保持部３１側の面の上部約２／３には、細長い板状の部材である右足部材３２２が、蓋部材３２の右端から右面壁３１３の厚さ分より少し内側に縦方向に立設されている。また、蓋部材３２の左端には細長い板状の部材である左足部材３２３が縦方向に立設されている。この右足部材３２２と左足部材３２３との外側の面の間隔は、保持部３１の右面壁３１３と左面壁３１９との内側の面との間隔とほぼ等しくなっており、蓋部材３２は、保持部３１の操作部材空間３１８の内部に嵌合する。また、蓋部材３２の蓋部３２１の上部左右端には、左係止欠け３２５及び右係止欠け３２４として切り欠きが設けられており、保持部３１の左係止部３１６及び右係止部３１５とそれぞれ係合するようになっている。
【００２６】
次に、図９及び図１０を参照して操作部材３３について説明する。操作部材３３は、略長方形の板状の前面壁３３９と、前面壁３３９の下から約１／３の位置に、手前側（図９における手前側）に横方向に立設されたツマミ３３１と、前面壁３３９の右端からツマミ３３１と逆方向（図９における奥方向）立設された右面壁３３６と、前面壁３３９の左端からツマミ３３１と逆方向に立設された左面壁３３７とを備えている。そして、右面壁３３６及び左面壁３３７は略長方形形状の奥側の辺の上部奥側約１／３が斜めにカットされており、略台形形状（縦方向に向かい合った平行で奥側の辺が短く、下の辺は向かい合った平行な辺に対して垂直な台形）となっている。よって、前面壁３３９と右面壁３３６と左面壁３３７とで形成される部分の上部は、上方向に尖った形状となっている。尚、この尖った部分を突出部３３２と呼ぶこととする。
【００２７】
また、前面壁３３９の右面壁３３６と左面壁３３７とが立設されている側には、上部約１／３の位置において、右面壁３３６と左面壁３３７との内側に押さえ壁３３８が横方向に立設されている。このように形成された前面壁３３９、右面壁３３６、左面壁３３７、押さえ壁３３８により囲まれる略立方体形状の空間がバネ空間３３３として形成されている。また、右面壁３３６の図９における奥側の辺（台形の向かい合った平行な辺の短い方の辺）には、外側（図９における右側）に略長方形の細長い板である背面右翼３３４が立設され、左面壁３３７の図１０における手前側の辺には、外側（図１０における右側）に略長方形の細長い板である背面左翼３３５が立設されている。
【００２８】
図１１及び図１２に示すように、このような形状の操作部材３３が、バネ空間３３３内にバネ３９を挿入されて、保持部３１の操作部材空間３１８に設置される。そして、図９における前面から蓋部材３２が保持部３１の操作部材空間３１８に挿入され、右係止部３１５が右係止欠け３２４に係止し、左係止部３１６が左係止欠け３２５に係止し、保持部３１に固定される。この際に、操作部材３３のツマミ３３１は、蓋部材３２のツマミ用開口部３２６から外部に突出し、ツマミ３３１を操作者が操作できるようになっている。また、右足部材３２２及び左足部材３２３の高さ（蓋部３２１から立ち上がり方向への長さ）は、操作部材空間３１８の奥行きよりも短くなっており、右足部材３２２及び左足部材３２３と保持部３１の背面壁３１２との間に隙間が生じるようになっている。そして、その隙間には操作部材３３の背面右翼３３４及び背面左翼３３５がそれぞれ配置されるようになっている。
【００２９】
したがって、バネ空間３３３に挿入されたバネ３９は、保持部３１の支持壁３１４と操作部材３３の押さえ壁３３８とに挟まれており、操作部材３３に上方向の付勢力が働く。しかしながら、操作部材３３のツマミ３３１が蓋部材３２のツマミ用開口部３２６の上辺に当たるので、それ以上操作部材３３が上方へ移動することはない。また、ツマミ３３１を下方へ移動させることにより、突出部３３２も下方へ移動するので、中枠４に設けられた留め部材４３の係止穴４４へ突出部３３２を係止させたり、係止を解除したりすることができる。
【００３０】
このような遊技球タンク５を用いることにより、パチンコ機の組み付けを行う担当者が箱詰めされた遊技球タンクを箱から取り出す際に、内側筐体と外側筐体とを一緒に取り出すことができるので、組み付け作業を潤滑に行うことができる。また、中枠４への遊技球タンク５の取り付けに、取付部材３０においてバネ３９の付勢力を使用して、操作部材３３を下方へ移動させるだけで留め部材４３への係止、係止解除を行うことができるので、遊技球タンク５をパチンコ機１へ組み付けるために使用する部材を落としてしまったり、落として紛失してしまったりすることがない。
【００３１】
尚、上記実施の形態の遊技球通過穴１３が「開口部」に該当し、ピン５１，５２が「固定部材」に該当する。また、突出部３３２が「突出部材」に該当し、操作部材３３が「設置部材」に該当し、保持部３１及び蓋部材３２が「設置部材カバー」に該当し、バネ３９が「弾性部材」に該当する。
【００３２】
尚、本発明は、以上詳述した実施の形態に限定されるものではなく、種々の変更が可能である。本発明の遊技機はパチンコ機に限らず、パチコン機、パチスロ機等、遊技媒体を使用する各種の遊技機であってもよいことは言うまでもない。また、外側筐体２０の内部の遊技媒体を払出装置８３へ導くための機構は、本実施の形態によるものに限らず、遊技媒体の形状に合わせたものであればよい。
【００３３】
また、取付部材３０のバネ３９は本実施の形態のようなコイルバネに限らず、皿バネ、板バネ、ゴム等、弾性力を有し、操作部材３３へ付勢力を与えるものであればよい。また、操作部材３３のツマミ３３１の形状も本実施の形態のような板状のツマミに限らず、棒状のものであってもよい。また、取付部材３０の保持部３１と蓋部材３２との構造も上記実施の形態のものに限らず、一体型であったり、他の構造の部材を組み合わせる形であってもよく、操作者が操作可能なツマミ部を設けた操作部材（設置部材）と操作部材を摺動可能とする弾性部材を保持できる構造であればよい。
【産業上の利用可能性】
【００３４】
本発明の遊技機はパチンコ機に限らず、パチコン機、パチスロ機等、遊技媒体を使用する各種の遊技機に適用可能である。
【図面の簡単な説明】
【００３５】
【図１】パチンコ機１の背面図である。
【図２】中枠４をパチンコ機１の背面側から見た斜視図である。
【図３】遊技球タンク５の斜視図である。
【図４】遊技球タンク５の内側筐体１０と外側筐体２０とを分解した際の上方からの分解斜視図である。
【図５】内側筐体１０の下側から見た底面図である。
【図６】外側筐体２０の下側から見た底面図である。
【図７】遊技球タンク５の内側筐体１０と外側筐体２０とを分解した際の下方からの分解斜視図である。
【図８】取付部材３０の拡大図である。
【図９】取付部材３０の分解斜視図である。
【図１０】操作部材３３をパチンコ機１の正面側から見た斜視図である。
【図１１】取付部材３０の背面図である。
【図１２】図１１のＡ−Ａ線における取付部材３０の断面図である。
【符号の説明】
【００３６】
１  パチンコ機
４  中枠
５  遊技球タンク
１０  内側筐体
１１  嵌合穴
１２  嵌合穴
１３  遊技球通過穴
２０  外側筐体
２１  嵌合穴
２２  嵌合穴
３０  取付部材
３１  保持部
３２  蓋部材
３３  操作部材
３９  バネ
４１  部材受
４３  留め部材
４４  係止穴
５１  ピン
５２  ピン
３２１  蓋部
３２６  ツマミ用開口部
３３１  ツマミ
３３２  突出部
【図１】
2005230343.tif 000003
【図２】
2005230343.tif 000004
【図３】
2005230343.tif 000005
【図４】
2005230343.tif 000006
【図５】
2005230343.tif 000007
【図６】
2005230343.tif 000008
【図７】
2005230343.tif 000009
【図８】
2005230343.tif 000010
【図９】
2005230343.tif 000011
【図１０】
2005230343.tif 000012
【図１１】
2005230343.tif 000013
【図１２】
2005230343.tif 000014